(57)【要約】      （修正有）【課題】袖を折り畳み状態に固定し、和服を畳んだ状態で掛けることが可能な和服用ハンガーを提供する。【解決手段】和服掛け用ロッド１０と、その左右それぞれに連結され、可動状態にされるとともに、和服を掛けた際には袖用ロッド固着具２１により固定状態にすることが可能な、左右それぞれの袖用の袖用ロッド２０と、和服掛け用ロッド１０の上部に連結され、和服掛け用ロッドを吊持して洋服掛け等に掛けるフック３０と、和服掛け用ロッドに掛けられた和服の両袖部を留めて吊るためのクリップ４０とを備える。和服の左右それぞれの袖を左右それぞれの袖用ロッド２０に通し、和服を和服掛け用ロッド１０に掛けた状態で、左右それぞれの袖用ロッドに設けられた袖用ロッド固着具２１により、左右の袖を折りたたみ状態に固定し、次いでフック３０により掛けた状態で、和服の裾をクリップ４０により留める。【選択図】図１
0003170739.tif 000002
【実用新案登録請求の範囲】
【請求項１】
和服を掛けるハンガーの主要部を構成する和服掛け用ロッドと、
和服掛け用ロッドの左右それぞれに、可撓性または伸縮性のある連結部材で連結され、可動状態にされるとともに、先端に袖用ロッド固着具が設けられた、左右それぞれの袖用の袖用ロッドと、
和服掛け用ロッドの上部に連結され、和服掛け用ロッドを吊持して洋服掛け等に掛けるフックと、
前記和服掛け用ロッドまたは前記袖用ロッドに、可撓性または伸縮性のある部材により連結されて設けられたクリップとを少なくとも備え、
和服の左右それぞれの袖を前記の左右それぞれの袖用ロッドに通し、和服を前記の和服掛け用ロッドに掛けた状態で、左右それぞれの袖用ロッドに設けられた前記の袖用ロッド固着具を、前記の和服掛け用ロッドに固定することにより、左右の袖を折りたたみ状態に固定し、
次いで前記のフックにより和服掛け用ロッドを吊持した状態で、和服の裾を前記のクリップにより留めることにより、和服を畳んだ状態で掛けることが可能にされたことを特徴とする和服用ハンガー。
【請求項２】
請求項１に記載の考案において、
前記の和服掛け用ロッドと左右それぞれの袖用ロッドとは、その全長の内の一部または全部にわたり中空部が設けられた筒状部を備え、
前記の和服掛け用ロッドと左右それぞれの袖用ロッドとを連結する連結部材は、可撓性または伸縮性のある紐状部材であって、左右それぞれの袖用ロッドが備える前記の筒状部に貫通されており、
左右それぞれの袖用ロッドは、和服掛け用ロッドと左右それぞれの袖用ロッドとを連結する連結部材に対し可動状態にされていることを特徴とする、和服用ハンガー。
【請求項３】
請求項２に記載の考案において、
左右それぞれの袖用ロッドは、和服掛け用ロッドと左右それぞれの袖用ロッドとを連結する連結部材に対し可動状態にされているとともに、可動状態の袖用ロッドを固定する袖用ロッド固定部材が設けられ、
和服の左右それぞれの袖を、前記の可動状態にされている左右それぞれの袖用ロッドに通し、次いで可動状態の袖用ロッドを前記袖用ロッド固定部材により固定することを特徴とする和服用ハンガー。
【考案の詳細な説明】
【技術分野】
【０００１】
本考案は、着物を畳まずに掛けたままクローゼット等に収納することが可能な和服用ハンガーに関する。
【背景技術】
【０００２】
従来、この種の和服用ハンガーとして、横長ロッドの中間部にフックを連結してた和服用ハンガーが知られている。
【考案の開示】
【考案が解決しようとする課題】
【０００３】
【特許文献１】特開平１０−１６５２８５号公報
【特許文献２】特開平９−２８５４４号公報
【特許文献３】特開２００２−１３６４１７号公報
【０００４】
たとえば特開平１０−１６５２８５「和服用ハンガーおよび和服保管方法」においては、折り畳み状態の和服を洋服の場合と同様にハンガーで吊るして保管できるようにする和服用ハンガーが提案されている。
和服を折り畳み状態で吊るすハンガーを、和服掛け用ロッドと、フックと、クリップとで構成し、両袖部が重なり合うように二つ折りした和服の両袖部を、重なり状態のまま身頃側に折り返して折り畳み状とした和服を、その丈の中間部で折り返して和服掛け用ロッドに掛けるものである。
また、特開平９−２８５４４「着物用ハンガー」は、着物の見頃や襟に皺が生じることがないようにした着物用ハンガーである。
【０００５】
しかしながら、上記のような従来の和服用のハンガーはいずれも、和服を掛けるハンガーのロッドと、ロッドを中央から吊るすためのフックとを主要部としたほかは、和服を畳むためのクリップや、帯などを掛ける補助ロッドなどがある程度の工夫はなされているものの、袖部分を折り畳んで、折り畳んだ状態のままハンガーに掛けるということには対応していなかった。
一方、和服の袖部分をハンガーに通して固定するためには、特開２００２−１３６４１７「和服用ハンガー」のように、左右方向に長尺の和服用ハンガーとしなければならず、かさばってしまう。したがって、構成部品をバラバラに６分割することでコンパクトに収納できるようにするといった工夫がされているものの、構造が複雑になり、ハンガーの組み立てをしなければならない。
【０００６】
【特許文献４】実用新案登録第３０４４２５０号公報
【特許文献５】特開平８−１８２６０２号公報
【０００７】
あるいは、実用新案登録第３０４４２５０号「和服用ハンガー」のように、左右一対の伸縮腕を備えている和服用ハンガーにおいて、全退縮操作した伸縮腕を容易に抜き出し操作できるように、ハンガー主体に対して出し入れできる第１腕と、第１腕に対して出し入れできる第２腕とを設けるといったような、複雑な構造を採用する必要があり、ハンガーの組み立てをしなければならない。
あるいは、特開平８−１８２６０２「和服用ハンガー」のように、展開自在の腕杆、一方の腕杆と共に移動するフック付吊杆及び補助フックを設けるといった、複雑な構造を採用する必要があった。
【０００８】
しかしながら、複雑な構成を採用することにより、ハンガーの形状は複雑になり、使用方法がわかりにくいばかりでなく、全体の大きさが大きくなってしまうために、使用しない際の収納や携帯には不便である。
また、複雑な形状、構造を形成するために、樹脂などの素材により形成することがコストや製造法の面から通常行われ、和服のデザインとは調和しない。
【０００９】
そこで本考案においては、上記の様々な課題を解決し、着物を畳まずに掛けたままクローゼット等に収納することが可能であって、袖部分を折り畳んで、折り畳んだ状態のままハンガーに掛けることが可能な和服用ハンガーを提供することを目的とする。
さらに本考案においては、袖部分を折り畳んで固定状態にしたまま吊り下げた際に、身幅サイズでコンパクトに収納することが可能な和服用ハンガーを提供することを目的とする。
さらに本考案においては、いたずらに構造を複雑にすることなく、使用方法もわかりやすくするだけではなく、使用しない際の収納や携帯に便利な和服用ハンガーを提供することを目的とする。
さらに本考案においては、和服のデザインと調和した素材を用いて、蒸気の課題を解決した和服用ハンガーを提供することを目的とする。
【課題を解決するための手段】
【００１０】
上記課題を解決するため、請求項１に記載の考案においては、
和服を掛けるハンガーの主要部を構成する和服掛け用ロッドと、和服掛け用ロッドの左右それぞれに、可撓性または伸縮性のある連結部材で連結され、可動状態にされるとともに、先端に袖用ロッド固着具が設けられた、左右それぞれの袖用の袖用ロッドと、和服掛け用ロッドの上部に連結され、和服掛け用ロッドを吊持して洋服掛け等に掛けるフックと、前記和服掛け用ロッドまたは前記袖用ロッドに、可撓性または伸縮性のある部材により連結されて設けられたクリップとを少なくとも備え、和服の左右それぞれの袖を前記の左右それぞれの袖用ロッドに通し、和服を前記の和服掛け用ロッドに掛けた状態で、左右それぞれの袖用ロッドに設けられた前記の袖用ロッド固着具を、前記の和服掛け用ロッドに固定することにより、左右の袖を折りたたみ状態に固定し、次いで前記のフックにより和服掛け用ロッドを吊持した状態で、和服の裾を前記のクリップにより留めることにより、和服を畳んだ状態で掛けることが可能にされた和服用ハンガーであることを特徴としている。
【００１１】
また、上記課題を解決するため、請求項２に記載の考案においては、
請求項１に記載の考案において、
前記の和服掛け用ロッドと左右それぞれの袖用ロッドとは、その全長の内の一部または全部にわたり中空部が設けられた筒状部を備え、
前記の和服掛け用ロッドと左右それぞれの袖用ロッドとを連結する連結部材は、可撓性または伸縮性のある紐状部材であって、左右それぞれの袖用ロッドが備える前記の筒状部に貫通されており、
左右それぞれの袖用ロッドは、和服掛け用ロッドと左右それぞれの袖用ロッドとを連結する連結部材に対し可動状態にされている、和服用ハンガーであることを特徴としている。
【００１２】
また、上記課題を解決するため、請求項３に記載の考案においては、
請求項２に記載の考案において、
左右それぞれの袖用ロッドは、和服掛け用ロッドと左右それぞれの袖用ロッドとを連結する連結部材に対し可動状態にされているとともに、可動状態の袖用ロッドを固定する袖用ロッド固定部材が設けられ、
和服の左右それぞれの袖を、前記の可動状態にされている左右それぞれの袖用ロッドに通し、次いで可動状態の袖用ロッドを前記袖用ロッド固定部材により固定する和服用ハンガーであることを特徴としている。
【考案の効果】
【００１３】
本考案によれば、着物を畳まずに掛けたままクローゼット等に収納することが可能であって、袖部分を折り畳んで、折り畳んだ状態のままハンガーに掛けることが可能な和服用ハンガーを提供することができる。
さらに本考案によれば、裾部分を折り畳んで固定状態にしたまま吊り下げた際に、身幅サイズでコンパクトに収納することが可能な和服用ハンガーを提供することができる。
さらに本考案によれば、いたずらに構造を複雑にすることなく、使用方法もわかりやすくするだけではなく、使用しない際の収納や携帯に便利な和服用ハンガーを提供することができる。
さらに本考案によれば、和服のデザインと調和した素材や、リサイクル可能を用いて、上記の課題を解決した和服用ハンガーを提供することができる。
さらに本考案によれば、左右それぞれの袖用ロッドを連結部材に対し可動状態にして、袖を通した後に固定できるようにすることにより、連結部材が可撓性または伸縮性を備えているために袖を通す作業がスムーズに行える。
【図面の簡単な説明】
【００１４】
【図１】本考案の和服用ハンガーの基本的な構成の一例を示す図である。
【図２】本考案の和服用ハンガーを畳んで収納あるいは携帯する際の状態を示す図である。
【図３】本考案の和服用ハンガーの好ましい使用形態の一例を示す図である。
【図４】本考案の和服用ハンガーの好ましい使用形態の一例を示す図である。
【図５】本考案の和服用ハンガーの好ましい使用形態の一例を示す図である。
【図６】本考案の和服用ハンガーの好ましい使用形態の一例を示す図である。
【図７】本考案の和服用ハンガーの好ましい使用形態の一例を示す図である。
【図８】本考案の和服用ハンガーの好ましい使用形態の一例を示す図である。
【図９】本考案の和服用ハンガーの好ましい使用形態の一例を示す図である。
【図１０】本考案の和服用ハンガーの好ましい使用形態の一例を示す図である。
【図１１】本考案の和服用ハンガーの好ましい使用形態の一例を示す図である。
【図１２】本考案の和服用ハンガーの好ましい使用形態の一例を示す図である。
【図１３】本考案の和服用ハンガーの好ましい使用形態の一例を示す図である。
【図１４】本考案の和服用ハンガーの好ましい使用形態の一例を示す図である。
【図１５】本考案の和服用ハンガーの好ましい使用形態の一例を示す図である。
【図１６】本考案の和服用ハンガーの好ましい使用形態の一例を示す図である。
【図１７】本考案の和服用ハンガーの好ましい使用形態の一例を示す図である。
【図１８】本考案の和服用ハンガーの好ましい使用形態の一例を示す図である。
【考案を実施するための最良の形態】
【００１５】
以下、本考案の実施の形態について図面を参照して説明する。
図１は、本考案の和服用ハンガーの基本的な構成の一例を示す図である。
図１および各図において、符号１０は和服掛け用ロッド、２０は袖用ロッド、３０はフック、４０はクリップ、５０は付属ロッド、６０は小物入れを示している。また符号１１は和服掛け用ロッドと袖用ロッドとを連結する連結部材、２１は袖用ロッド固着具を示している。
【００１６】
初めに、本考案の和服用ハンガーは、和服を掛けるハンガーの主要部を構成する和服掛け用ロッド１０を備えている。図１はこの実施形態の和服用ハンガーの正面図を示し、符号１０に示されるのが和服掛け用ロッドである。
和服掛け用ロッド１０は、本考案の好ましい実施形態によれば、その全長の内の一部または全部にわたり中空部が設けられた筒状部を備える。和服掛け用ロッド１０が筒状に形成されたことにより、軽量でありながら強靭なものとすることができる。さらに後述する紐状の連結部材を用いる場合には、紐状部材の固定に便宜な構造となる。
さらに和服掛け用ロッド１０の好ましい形態は、竹を素材とするものである。竹を使用しているので、軽量でありながら強靭さを兼ね備えたばかりでなく、和装にぴったりのデザインである。また竹を素材とすれば筒状部を備える場合の加工も容易である。
【００１７】
次に本考案の和服用ハンガーは、左右それぞれの袖用の袖用ロッド２０を備えている。
左右それぞれの袖用の袖用ロッド２０は、本考案の好ましい実施形態によれば、その全長の内の一部または全部にわたり中空部が設けられた筒状部を備える。袖用ロッド２０が筒状に形成されたことにより、軽量でありながら強靭なものとすることができる。さらに後述する紐状の連結部材を用いる場合には、紐状部材の固定に便宜な構造となる。
さらに和服掛け用ロッドの好ましい形態は、竹を素材とするものである。竹を使用しているので、軽量でありながら強靭さを兼ね備えたばかりでなく、和装にぴったりのデザインである。また竹を素材とすれば筒状部を備える場合の加工も容易である。
【００１８】
なお、本考案の和服用ハンガーにおいて、和服掛け用ロッド１０、左右それぞれの袖用ロッド２０は、竹素材に限定されるものではなく、たとえば樹脂成形品、木製品、金属製品、その他の各種素材を使用することができ、また必ずしも筒状部を備える素材を用いなくてもよい。
【００１９】
さらに和服掛け用ロッド１０と、和服掛け用ロッド２０の別の好ましい形態は、古紙再生紙を原材料とするペーパーハニカムボードからなるものである。ペーパーハニカムボードは、パルプなどの植物素材を原材料として、ボード状に加工したものであり、木材にも似た質感、堅さに形成することができる。牛乳パック再生紙や古紙再生紙などの植物素材を利用すれば、リサイクルも容易であって、しかも軽量であり、木材と同様に風合や質量感があるばかりではなく、素材が均質である。
【００２０】
左右それぞれの袖用の袖用ロッド２０は、和服掛け用ロッド１０の左右それぞれに連結され、可動状態にされている。
好ましい一例は、袖用ロッド２０と和服掛け用ロッド１０とを、可撓性または伸縮性のある部材により連結するものである。左の袖用ロッド２０が和服掛け用ロッド１０の左端部分に可動状態に連結され、また右の袖用ロッド２０が和服掛け用ロッド１０の右端部分に可動状態に連結される。
和服掛け用ロッド１０と左右それぞれの袖用ロッド２０とを連結する連結部材１１は、可撓性または伸縮性があり、好ましい代表的な例としては組み紐などの紐状部材である。
【００２１】
和服掛け用ロッド１０と左右それぞれの袖用ロッド２０とが筒状部を備えた竹などの素材から形成され、それぞれのパーツの連結には組み紐などの紐状部材を用いることとすれば、フレキシブルに動かしたり、畳んで収納したりすることができる。
図２は、畳んで収納あるいは携帯する際の状態を示す図であり、旅行などで携帯する際にもコンパクトに収めることができる。
また図３から図１１は、本考案の和服用ハンガーの好ましい使用形態の一例を示す図である。
【００２２】
次に本考案の和服用ハンガーは、和服掛け用ロッド１０の上部に連結され、和服掛け用ロッドを吊持して洋服掛け等に掛けるフック３０を備えている。
フック３０は、和服掛け用ロッド１０をフック状あるいはポール状の洋服掛け等の掛け治具に掛けるものであって、たとえば樹脂成形品や、金属成形品、木製部材、あるいはこれらと組み紐などの紐状部材その他の連結部材との組み合わせからなる。フック３０は、図１に示される例によれば、組み紐などの紐状部材によって和服掛け用ロッド１０とフック３０とが連結されている。これにより、フック３０が掛けられる洋服掛け等の掛け治具の向きに対して、和服掛け用ロッド１０の向きを自在に選択することができる。
【００２３】
次に本考案の和服用ハンガーは、和服の左右それぞれの袖を前記の左右それぞれの袖用ロッド２０に通し、和服を前記の和服掛け用ロッド１０に掛けた状態で、左右の袖を折りたたみ状態に固定するための、袖用ロッド固着具２１が左右それぞれの袖用ロッド２０に設けられている。
左右それぞれの袖用の袖用ロッド２０は前記の通り、可動状態にされるとともに、和服を掛けた際には袖用ロッド固着具２１により固定状態にすることが可能にされており、左右の袖を折りたたみ状態に固定する。
さらに、左右の袖を折りたたみ状態に固定した状態で、前記のフック３０により掛けることが可能にされている。
【００２４】
次に本考案の和服用ハンガーは、和服掛け用ロッド１０に掛けられた和服の裾を留めて吊るためのクリップ４０がさらに備えられていることが望ましい。
クリップ４０は、図９から図１１に示されるように、折り畳んだ和服の下端を重なり二つ折り状態に掴み、吊り下げて保持する部材である。クリップ４０は、和服掛け用ロッド１０または袖用ロッド２０に、好ましくは紐状部材などの可撓性または伸縮性のある部材により連結されて設けられるものである。
図１、図４、および図５においては、袖用ロッド２０にクリップ４０が設けられた好ましい一例を示している。一方、図６に示されるように、クリップ４０は和服掛け用ロッド１０または付属ロッド５０に設けられるようにしてもよい。
図１においては、袖用ロッド２０の先端部分に、組み紐などの紐状部材により連結されて設けられている。紐状部材は袖用ロッド２０先端部分において、袖用ロッド２０の筒状になった中空部を通して先端部分の外周に開けられた孔に挿通し、紐状部材の先端部に設けたストッパで孔から抜け止め状態とすることにより連結されている。
これにより、和服の左右それぞれの袖を前記の左右それぞれの袖用ロッド２０に通し、和服を前記の和服掛け用ロッド１０に掛けた状態で、左右それぞれの袖用ロッド２０に設けられた前記の袖用ロッド固着具２１により、左右の袖を折りたたみ状態に固定し、次いで前記のフック３０により和服掛け用ロッドを吊持した状態で、和服の裾を前記のクリップ４０により留めることにより、和服を畳んだ状態で掛けることが可能にされている。
【００２５】
次に本考案の和服用ハンガーには、好ましくは前記の和服掛け用ロッド１０に連結されて、付属ロッド５０がさらに設けられる。
付属用ロッドは、図１に示すように、和服掛け用ロッド１０の下方に、和服掛け用ロッド１０とおよそ平行に設けられる。
【００２６】
付属ロッド５０には、帯などの付属小物を掛けることができる。
さらに、和服掛け用ロッド１０または付属ロッド５０に固着可能な小物入れ６０がさらに設けることができる。
図３は、小物入れ６０の一例を示す図であり、和服掛け用ロッド１０または付属ロッド５０に合わせたサイズに形成されている。
帯留め、帯揚げなど、着付け時に必要な小物類を着物と一緒にハンガーに掛けて収納することができる。
【００２７】
以下、本考案の和服用ハンガーに和服を掛ける手順を図４から図１１を参照して説明する。図４から図１１は、本考案の和服用ハンガーの使用形態の好ましい一例を示す図である。
初めに図４および図５を参照すると、付属ロッド５０に、帯、または小物入れ６０を掛ける。掛けたときの長さは着物の半分以下の長さにすることが好ましい。
図４は、付属ロッド５０に帯を掛けた状態を示し、図５は付属ロッド５０に小物入れ６０を掛けた状態の例を示している。また付属ロッド５０を複数設けるなどして、帯と小物入れ等とを同時に掛けられるようにするなどしてもよい。
次に図７を参照する。図７においては、着物を和服用ハンガーの和服掛け用ロッド１０に掛けた状態を示している。和服掛け用ロッド１０に掛けるより先に、袖用ロッド２０に着物の袖を通しておく。
【００２８】
次いで、図８を参照すると、左右それぞれの袖用の袖用ロッド２０は前記の通り、可動状態にされているので、袖を通した状態のまま左右の袖をそれぞれ折り畳むことにより、和服の左右それぞれの袖を前記の左右それぞれの袖用ロッド２０に通し和服を和服掛け用ロッド１０に掛けた状態になる。
左右それぞれの袖用ロッド２０には、左右の袖を折りたたみ状態に固定するための袖用ロッド固着具２１が設けられており、袖を袖用ロッド固着具２１により左右の袖を折りたたみ状態に固定する。
左右それぞれの袖用ロッド固着具２１は袖用ロッドの先端に設けられ、和服掛け用ロッド１０またはこれに設けられた固着部に固定する。
図９は、左右の袖を折りたたみ状態に固定した状態で、前記のフック３０により掛けることが可能にされた状態を示しており、和服掛け用ロッド１０を吊持して洋服掛け等に掛けるようにされている。
【００２９】
次に、クリップ４０は、図９から図１１に示されるように、折り畳んだ和服の下端を重なり二つ折り状態に掴み、吊り下げて保持する部材であり、和服掛け用ロッド１０または袖用ロッド２０に、好ましくは紐状部材などの可撓性または伸縮性のある部材により連結されて設けられている。
クリップ４０で和服の裾を持ち上げて二つ折りにする際には、図９に示されるように着物の折り目にしたがって整えながら畳み、クリップ４０は和服の裾を掴むために両側に出しておく。
次いで、図１０に示すように着物の裾を持ち、肩のラインまで持ってくる。左右の袖用ロッド２０にそれぞれについているクリップ４０で裾を両肩で留める。
以上により、図１１に示されるように和服用ハンガーへの掛け留めが完了し、このままクローゼットへ収納したり、掛けたりすることができる。また、スーツケース等に収納して持ち運ぶことも可能になる。
【００３０】
次に、図１２から図１８を参照して、本考案の別の好ましい実施形態について説明する。
図１２は、本考案の和服用ハンガーの別の基本的な構成の一例を示す図である。
図１２および各図において、符号１０は和服掛け用ロッド、２０は袖用ロッド、３０はフック、４０はクリップ、５０は付属ロッド、６０は小物入れを示している。また符号１１は和服掛け用ロッドと袖用ロッドとを連結する連結部材、２１は袖用ロッド固着具を示している。
図１２はこの実施形態の和服用ハンガーの正面図を示し、符号１０に示されるのが和服掛け用ロッドである。
【００３１】
和服掛け用ロッド１０は、本考案の好ましい実施形態によれば、その全長の内の一部または全部にわたり中空部が設けられた筒状部を備える。和服掛け用ロッド１０が筒状に形成されたことにより、軽量でありながら強靭なものとすることができる。
図１２においては、和服掛け用ロッド１０と、和服掛け用ロッド２０とを、古紙再生紙などを原材料とするペーパーハニカムボードから形成し、その全長の全部にわたり中空部が設けられた筒状部を備える形態を一例として示している。
さらに筒状部には、可撓性または伸縮性のある紐状の連結部材が貫通されており、左右それぞれの袖用の袖用ロッド２０は、和服掛け用ロッド１０の左右それぞれに連結され、可動状態にされている。左の袖用ロッド２０が和服掛け用ロッド１０の左端部分に可動状態に連結され、また右の袖用ロッド２０が和服掛け用ロッド１０の右端部分に可動状態に連結される。左右それぞれの袖用ロッド２０は、和服掛け用ロッドと左右それぞれの袖用ロッドとを連結する連結部材に対し可動状態にされている。
【００３２】
左右それぞれの袖用ロッド２０が、連結部材に対し可動状態にされていることにより、袖用ロッド２０に和服の袖を通す際には袖用ロッド２０を図１２の右下に示されるように連結部材の先端のクリップ４０に近い方に配置させておく。次いで和服の袖を袖用ロッド２０に通した後に、袖用ロッド２０に設けられた袖用ロッド固着具２１を用いて袖を折りたたみ状態に固定する際には、袖用ロッド２０を図１２の左上に示されるように連結部材の上方に移動させることができる。このため、袖を通す作業がスムーズに行える。
また、袖を通す作業がスムーズに行うために、好ましくは、和服掛け用ロッドと左右それぞれの袖用ロッドとを連結する連結部材は、可動状態にされた左右それぞれの袖用ロッドの略２倍の長さを少なくとも備えることが望ましい。ただし長すぎないようにすることが好ましい。連結部材が、好ましくは袖用ロッド２０の１．８倍から２．３倍程度、さらに好ましくは２倍から２．２倍程度の範囲内であれば作業性の面からも望ましい。
【００３３】
さらに、袖用ロッド２０に設けられた袖用ロッド固着具２１を用いて袖を折りたたみ状態に固定する際には、袖用ロッド２０を連結部材の上方に移動させた状態で固定することが望ましい。図１２においては、可動状態の袖用ロッドを連結部材に対し固定する袖用ロッド固定部材２２が連結部材に設けられている。
なお、図１２においては、袖用ロッド固定部材２２は、連結部材に貫通されたアジャスター部材を採用した例を示しているが、その他にも各種のストッパー部材を利用することができる。
さらに、図１２においては、袖用ロッド固定部材２２は、袖用ロッド２０とクリップ４０との間に設けられたアジャスター部材を採用した例を示しているが、袖用ロッド固定部材２２として袖用ロッド２０に連結されまたは固定され一体となった各種のアジャスター部材やストッパー部材を利用してもよい。
【００３４】
以下、本考案の和服用ハンガーに和服を掛ける手順を図１３から図１８を参照して説明する。図１３から図１８は、本考案の和服用ハンガーの使用形態の好ましい一例を示す図である。
初めに図１３を参照すると、付属ロッド５０に、帯、または小物入れ６０を掛ける。図１３は、付属ロッド５０に帯を掛けた状態を示している。掛けたときの長さは着物の半分以下の長さにすることが好ましい。
左右それぞれの袖用ロッド２０が、連結部材に対し可動状態にされていることにより、袖用ロッド２０に和服の袖を通す際には袖用ロッド２０を図１２の右下に示されるように連結部材の先端のクリップ４０に近い方に配置させておく。
【００３５】
次に図１４を参照する。図１４においては、着物を和服用ハンガーの和服掛け用ロッド１０に掛けた状態を示している。和服掛け用ロッド１０に掛けるより先に、袖用ロッド２０に着物の袖を通す。袖用ロッド２０に和服の袖を通す際には袖用ロッド２０が連結部材の先端に近い方に配置されており、連結部材が可撓性または伸縮性を備えているために袖を通す作業がスムーズに行える。
【００３６】
次に図１５を参照すると、和服の袖を袖用ロッド２０に通した後に、袖用ロッド２０に設けられた袖用ロッド固着具２１を用いて袖を折りたたみ状態に固定する際には、袖用ロッド２０を図１２の左上に示されるように連結部材の上方に移動させる。袖用ロッド２０が袖の桁に合うように、アジャスター部材などの袖用ロッド固定部材２２を留めることにより、可動状態の袖用ロッドを連結部材に対し固定する。左右それぞれの袖用の袖用ロッド２０を畳むように、袖を通した状態のまま左右の袖をそれぞれ折り畳むことにより、和服の左右それぞれの袖を前記の左右それぞれの袖用ロッド２０に通し和服を和服掛け用ロッド１０に掛けた状態になる。
【００３７】
次いで、図１６を参照すると、左右それぞれの袖用ロッド２０には、左右の袖を折りたたみ状態に固定するための袖用ロッド固着具２１が設けられており、袖を袖用ロッド固着具２１により左右の袖を折りたたみ状態に固定する。
左右それぞれの袖用ロッド固着具２１は袖用ロッドの先端に設けられ、和服掛け用ロッド１０またはこれに設けられた固着部に固定する。
左右の袖を折りたたみ状態に固定した状態で、前記のフック３０により掛けることが可能にされており、和服掛け用ロッド１０を吊持して洋服掛け等に掛けるようにされている。
【００３８】
次に、クリップ４０は、図１７および図１８に示されるように、折り畳んだ和服の下端を重なり二つ折り状態に掴み、吊り下げて保持する部材であり、和服掛け用ロッド１０または袖用ロッド２０に、好ましくは紐状部材などの可撓性または伸縮性のある部材により連結されて設けられている。
クリップ４０で和服の裾を持ち上げて二つ折りにする際には、図１７に示されるように着物の折り目にしたがって整えながら畳み、クリップ４０は和服の裾を掴むために両側に出しておく。
次いで、図１８に示すように、左右の袖用ロッド２０にそれぞれについているクリップ４０で裾を両肩で留める。
以上により、図１８に示されるように和服用ハンガーへの掛け留めが完了し、このままクローゼットへ収納したり、掛けたりすることができる。また、スーツケース等に収納して持ち運ぶことも可能になる。
【産業上の利用可能性】
【００３９】
以上詳細に説明したように、本考案によれば、着物を畳まずに掛けたままクローゼット等に収納することが可能であって、袖部分を折り畳んで、折り畳んだ状態のままハンガーに掛けることが可能な和服用ハンガーを提供することができる。
さらに本考案によれば、裾部分を折り畳んで固定状態にしたまま吊り下げた際に、身幅サイズでコンパクトに収納することが可能な和服用ハンガーを提供することができる。
さらに本考案によれば、いたずらに構造を複雑にすることなく、使用方法もわかりやすくするだけではなく、使用しない際の収納や携帯に便利な和服用ハンガーを提供することができる。
【図１】
0003170739.tif 000003
【図２】
0003170739.tif 000004
【図３】
0003170739.tif 000005
【図７】
0003170739.tif 000006
【図８】
0003170739.tif 000007
【図９】
0003170739.tif 000008
【図１０】
0003170739.tif 000009
【図１１】
0003170739.tif 000010
【図１２】
0003170739.tif 000011
【図１３】
0003170739.tif 000012
【図１４】
0003170739.tif 000013
【図１５】
0003170739.tif 000014
【図１６】
0003170739.tif 000015
【図１７】
0003170739.tif 000016
【図１８】
0003170739.tif 000017
【図４】
0003170739.tif 000018
【図５】
0003170739.tif 000019
【図６】
0003170739.tif 000020
【手続補正書】
【提出日】平成23年8月2日(2011.8.2)
【手続補正１】
【補正対象書類名】明細書
【補正対象項目名】００１１
【補正方法】変更
【補正の内容】
【００１１】
また、上記課題を解決するため、請求項２に記載の考案においては、
前記の和服掛け用ロッドと左右それぞれの袖用ロッドとは、その全長の内の一部または全部にわたり中空部が設けられた筒状部を備え、
前記の和服掛け用ロッドと左右それぞれの袖用ロッドとを連結する連結部材は、可撓性または伸縮性のある紐状部材であって、左右それぞれの袖用ロッドが備える前記の筒状部に貫通されており、
左右それぞれの袖用ロッドは、和服掛け用ロッドと左右それぞれの袖用ロッドとを連結する連結部材に対し可動状態にされている、請求項１に記載の和服用ハンガーであることを特徴としている。
【手続補正２】
【補正対象書類名】明細書
【補正対象項目名】００１２
【補正方法】変更
【補正の内容】
【００１２】
また、上記課題を解決するため、請求項３に記載の考案においては、
左右それぞれの袖用ロッドは、和服掛け用ロッドと左右それぞれの袖用ロッドとを連結する連結部材に対し可動状態にされているとともに、可動状態の袖用ロッドを固定する袖用ロッド固定部材が設けられ、
和服の左右それぞれの袖を、前記の可動状態にされている左右それぞれの袖用ロッドに通し、次いで可動状態の袖用ロッドを前記袖用ロッド固定部材により固定する、請求項２に記載の和服用ハンガーであることを特徴としている。
【手続補正３】
【補正対象書類名】実用新案登録請求の範囲
【補正対象項目名】請求項２
【補正方法】変更
【補正の内容】
【請求項２】
前記の和服掛け用ロッドと左右それぞれの袖用ロッドとは、その全長の内の一部または全部にわたり中空部が設けられた筒状部を備え、
前記の和服掛け用ロッドと左右それぞれの袖用ロッドとを連結する連結部材は、可撓性または伸縮性のある紐状部材であって、左右それぞれの袖用ロッドが備える前記の筒状部に貫通されており、
左右それぞれの袖用ロッドは、和服掛け用ロッドと左右それぞれの袖用ロッドとを連結する連結部材に対し可動状態にされていることを特徴とする、請求項１に記載の和服用ハンガー。
【手続補正４】
【補正対象書類名】実用新案登録請求の範囲
【補正対象項目名】請求項３
【補正方法】変更
【補正の内容】
【請求項３】
左右それぞれの袖用ロッドは、和服掛け用ロッドと左右それぞれの袖用ロッドとを連結する連結部材に対し可動状態にされているとともに、可動状態の袖用ロッドを固定する袖用ロッド固定部材が設けられ、
和服の左右それぞれの袖を、前記の可動状態にされている左右それぞれの袖用ロッドに通し、次いで可動状態の袖用ロッドを前記袖用ロッド固定部材により固定することを特徴とする、請求項２に記載の和服用ハンガー。